(57)【要約】本発明は、イメージ切替方法、装置、プログラム、及び記録媒体に関し、画像処理技術分野に属する。前記方法は、第１解像度バージョンのｉ（ｉ≧１）枚目のイメージを、現在に表示されている解像度が前記第１解像度バージョンの解像度より高い第２解像度バージョンの、ｉ枚目のイメージの上に重ね合わせる。次に、第２解像度バージョンのｉ枚目のイメージを、第２解像度バージョンのｉ+１枚目のイメージに置き換える。次に、所定のアニメーション効果によって、第１解像度バージョンのｉ枚目のイメージを非表示にし、第２解像度バージョンのｉ+１枚目のイメージを表示する。これにより、背景技術における、複数枚の４Ｋイメージを所定のアニメーション効果によってスムーズに切替できず、４Ｋイメージを切替表示する際の効果が悪くなる、課題を解決した。当該第１解像度バージョンの前の１枚のイメージによって発生したアニメーション効果によって、隣接する２枚の第２解像度バージョンのイメージの間のスムーズな切替を実現した。これにより、切替表示の効果を改善した。【選択図】図１
2016530554.tif 000002
【特許請求の範囲】
【請求項１】
第１解像度バージョンのｉ（ｉ≧１）枚目のイメージを、現在に表示されている、解像度が前記第１解像度バージョンの解像度より高い第２解像度バージョンの前記ｉ枚目のイメージの上に重ね合わせるステップと、
前記第２解像度バージョンのｉ枚目のイメージを、第２解像度バージョンのｉ＋１枚目のイメージに置き換えるステップと、
所定のアニメーション効果によって、前記第１解像度バージョンのｉ枚目のイメージを非表示にし、前記第２解像度バージョンのｉ＋１枚目のイメージを表示するステップとを
含むことを特徴とするイメージ切替方法。
【請求項２】
前記第１解像度バージョンのｉ枚目のイメージを、現在に表示されている、前記第２解像度バージョンのｉ枚目のイメージの上に重ね合わせるステップは、
透明度が０である前記第１解像度バージョンのｉ枚目のイメージを、現在に表示されている、前記第２解像度バージョンのｉ枚目のイメージの上に重ね合わせるステップと、
前記第１解像度バージョンのｉ枚目のイメージの透明度を、０から１に、次第に、調整するステップを含む
ことを特徴とする請求項１に記載のイメージ切替方法。
【請求項３】
前記所定のアニメーション効果によって、前記第１解像度バージョンのｉ枚目のイメージを非表示にし、前記第２解像度バージョンのｉ＋１枚目のイメージを表示するステップは、
前記第１解像度バージョンのｉ枚目のイメージの透明度を、１から０に、次第に、調整するステップと、
前記第２解像度バージョンのｉ＋１枚目のイメージを表示するステップと
を含むことを特徴とする請求項２に記載のイメージ切替方法。
【請求項４】
透明度が１である、第１解像度バージョンの背景イメージを、第２解像度バージョンの１枚目のイメージの上に重ね合わせて表示するステップと、
前記背景イメージの透明度を、１から０に、次第に、調整するステップと、
前記第２解像度バージョンの１枚目のイメージを表示するステップと
を、さらに、含むことを特徴とする請求項１乃至３のいずれか１項に記載のイメージ切替方法。
【請求項５】
前記ｉ＋１枚目のイメージが最後の１枚のイメージである場合、透明度が０である前記第１解像度バージョンのｉ＋１枚目のイメージを、現在に表示されている、前記第２解像度バージョンのｉ＋１枚目のイメージの上に重ね合わせるステップと、
前記第１解像度バージョンのｉ＋１枚目のイメージの透明度を、０から１に、次第に、調整するステップと
を、さらに、含むことを特徴とする請求項１乃至３のいずれか１項に記載のイメージ切替方法。
【請求項６】
第１解像度バージョンのｉ（ｉ≧１）枚目のイメージを、現在に表示されている、解像度が前記第１解像度バージョンの解像度より高い第２解像度バージョンの前記ｉ枚目のイメージの上に重ね合わせるためのイメージ重合モジュールと、
前記第２解像度バージョンのｉ枚目のイメージを、第２解像度バージョンのｉ＋１枚目のイメージに置き換えるためのイメージ置換モジュールと、
所定のアニメーション効果によって、前記第１解像度バージョンのｉ枚目のイメージを非表示にし、前記第２解像度バージョンのｉ＋１枚目のイメージを表示するためのイメージ表示モジュールと
を備えることを特徴とするイメージ切替装置。
【請求項７】
前記イメージ重合モジュールは、
透明度が０である前記第１解像度バージョンのｉ枚目のイメージを、現在に表示されている、前記第２解像度バージョンのｉ枚目のイメージの上に重ね合わせるためのイメージ重合ユニットと、
前記第１解像度バージョンのｉ枚目のイメージの透明度を、０から１に、次第に、調整するための第１調整ユニットと
を備えることを特徴とする請求項６に記載のイメージ切替装置。
【請求項８】
前記イメージ表示モジュールは、
前記第１解像度バージョンのｉ枚目のイメージの透明度を、１から０に、次第に、調整するための第２調整ユニットと、
前記第２解像度バージョンのｉ＋１枚目のイメージを表示するためのイメージ表示ユニットと
を備えることを特徴とする請求項７に記載のイメージ切替装置。
【請求項９】
透明度が１である、第１解像度バージョンの背景イメージを、第２解像度バージョンの１枚目のイメージの上に重ね合わせて表示するための背景表示モジュールと、
前記背景イメージの透明度を、１から０に、次第に、調整するための第１調整モジュールと、
前記第２解像度バージョンの１枚目のイメージを表示するための第１表示モジュールと
を、さらに、備えることを特徴とする請求項６乃至８のいずれか１項に記載のイメージ切替装置。
【請求項１０】
前記ｉ＋１枚目のイメージが最後の１枚のイメージである場合、透明度が０である前記第１解像度バージョンのｉ＋１枚目のイメージを、現在に表示されている、前記第２解像度バージョンのｉ＋１枚目のイメージの上に重ね合わせるためのバージョン重合モジュールと、
前記第１解像度バージョンのｉ＋１枚目のイメージの透明度を、０から１に、次第に、調整するための第２調整モジュールと
を、さらに、備えることを特徴とする請求項６乃至８のいずれか１項に記載のイメージ切替装置。
【請求項１１】
プロセッサと、
プロセッサが実行可能な命令を記憶するためのメモリとを備え、
前記プロセッサは、
第１解像度バージョンのｉ（ｉ≧１）枚目のイメージを、現在に表示されている、解像度が前記第１解像度バージョンの解像度より高い第２解像度バージョンの前記ｉ枚目のイメージの上に重合し、
前記第２解像度バージョンのｉ枚目のイメージを、第２解像度バージョンのｉ＋１枚目のイメージに置換し、
所定のアニメーション効果によって、前記第１解像度バージョンのｉ枚目のイメージを非表示にし、前記第２解像度バージョンのｉ＋１枚目のイメージを表示するように構成される
ことを特徴とするイメージ切替装置。
【発明の詳細な説明】
【相互参照】
【０００１】
本願は、出願番号が２０１４１０２５７７１６．Ｘであって、出願日が２０１４年６月１１日である中国特許出願に基づいて優先権を主張し、当該中国特許出願のすべての内容を援用するようにする。
【技術分野】
【０００２】
本発明は、画像処理技術分野に関し、特に、イメージ切替方法、及び装置に関する。
【背景技術】
【０００３】
４Ｋ解像度は、新興のデジタルフィルム、及びコンピュータ動画の超高解像度の規格である。一般の４Ｋ解像度には、３８４０×２１６０画素と４０９６×２１６０画素２との二種の規格がある。“４Ｋ”との名称は、水平方向における画素数から得られたものである。
【０００４】
４Ｋの技術の発展に伴い、４Ｋテレビ、４Ｋイメージ、４Ｋ動画も、ますます、人々に注目される。ここで、４Ｋイメージとは４Ｋ解像度のイメージを意味するものであり、４Ｋイメージは超高解像度画像とも呼ばれている。４Ｋイメージは、表示がきめ細かく、色があでやかであるため、ユーザは、４Ｋイメージによって、画面中のすべての細部とすべてのクローズアップをはっきり見ることができる。
【０００５】
発明者は、本発明を実現する過程において、上記の方法には少なくても以下の欠陥が存在することを見つけた。現在の４Ｋ技術に束縛されて、複数枚の４Ｋイメージを所定のアニメーション効果によってスムーズに切替できず、４Ｋイメージを切替表示する際の効果が悪くなる。
【発明の概要】
【０００６】
上記の技術における、複数枚の４Ｋイメージを所定のアニメーション効果によってスムーズに切替できず、４Ｋイメージを切替表示する際の効果が悪くなる課題を解決するために、本発明に係る実施例は、イメージ切替方法、及び装置を提供する。前記技術方案は、以下のとおりである。
【０００７】
本発明の実施例に係る第１の態様によると、イメージ切替方法を提供し、前記方法は、
第１解像度バージョンのｉ（ｉ≧１）枚目のイメージを、現在に表示されている、解像度が前記第１解像度バージョンの解像度より高い第２解像度バージョンの前記ｉ枚目のイメージの上に重ね合わせるステップと、
前記第２解像度バージョンのｉ枚目のイメージを、第２解像度バージョンのｉ＋１枚目のイメージに置き換えるステップと、
所定のアニメーション効果によって、前記第１解像度バージョンのｉ枚目のイメージを非表示にし、前記第２解像度バージョンのｉ＋１枚目のイメージを表示するステップと
を含む。
【０００８】
一実施例において、前記第１解像度バージョンのｉ枚目のイメージを、現在に表示されている、前記第２解像度バージョンのｉ枚目のイメージの上に重ね合わせるステップは、
透明度が０である前記第１解像度バージョンのｉ枚目のイメージを、現在に表示されている、前記第２解像度バージョンのｉ枚目のイメージの上に重ね合わせるステップと、
前記第１解像度バージョンのｉ枚目のイメージの透明度を、０から１に、次第に、調整するステップと
を含む。
【０００９】
一実施例において、前記所定のアニメーション効果によって、前記第１解像度バージョンのｉ枚目のイメージを非表示にし、前記第２解像度バージョンのｉ＋１枚目のイメージを表示するステップは、
前記第１解像度バージョンのｉ枚目のイメージの透明度を、１から０に、次第に、調整するステップと、
前記第２解像度バージョンのｉ＋１枚目のイメージを表示するステップと
を含む。
【００１０】
一実施例において、前記方法は、
透明度が１である、第１解像度バージョンの背景イメージを、第２解像度バージョンの１枚目のイメージの上に重ね合わせて表示するステップと、
前記背景イメージの透明度を、１から０に、次第に、調整するステップと、
前記第２解像度バージョンの１枚目のイメージを表示するステップと
を、さらに、含む。
【００１１】
一実施例において、前記方法は、
前記ｉ＋１枚目のイメージが最後の１枚のイメージである場合、透明度が０である前記第１解像度バージョンのｉ＋１枚目のイメージを、現在に表示されている、前記第２解像度バージョンのｉ＋１枚目のイメージの上に重ね合わせるステップと、
前記第１解像度バージョンのｉ＋１枚目のイメージの透明度を、０から１に、次第に、調整するステップと
を、さらに、含む。
【００１２】
本発明の実施例に係る第２の態様によると、イメージ切替装置を提供し、前記装置は、
第１解像度バージョンのｉ（ｉ≧１）枚目のイメージを、現在に表示されている、解像度が前記第１解像度バージョンの解像度より高い第２解像度バージョンの前記ｉ枚目のイメージの上に重ね合わせるためのイメージ重合モジュールと、
前記第２解像度バージョンのｉ枚目のイメージを、第２解像度バージョンのｉ＋１枚目のイメージに置き換えるためのイメージ置換モジュールと、
所定のアニメーション効果によって、前記第１解像度バージョンのｉ枚目のイメージを非表示にし、前記第２解像度バージョンのｉ＋１枚目のイメージを表示するためのイメージ表示モジュールと
を備える。
【００１３】
一実施例において、前記イメージ重合モジュールは、イメージ重合ユニット、及び第１調整ユニットを備える。
【００１４】
前記イメージ重合ユニットは、透明度が０である前記第１解像度バージョンのｉ枚目のイメージを、現在に表示されている、前記第２解像度バージョンのｉ枚目のイメージの上に重ね合わせる。
【００１５】
前記第１調整ユニットは、前記第１解像度バージョンのｉ枚目のイメージの透明度を、０から１に、次第に、調整する。
【００１６】
一実施例において、前記イメージ表示モジュールは、第２調整ユニット、及びイメージ表示ユニットを備える。
【００１７】
前記第２調整ユニットは、前記第１解像度バージョンのｉ枚目のイメージの透明度を、１から０に、次第に、調整する。
【００１８】
前記イメージ表示ユニットは、前記第２解像度バージョンのｉ＋１枚目のイメージを表示する。
【００１９】
一実施例において、前記装置は、
透明度が１である、第１解像度バージョンの背景イメージを、第２解像度バージョンの１枚目のイメージの上に重ね合わせて表示するための背景表示モジュールと、
前記背景イメージの透明度を、１から０に、次第に、調整するための第１調整モジュールと、
前記第２解像度バージョンの１枚目のイメージを表示するための第１表示モジュールと
を、さらに、備える。
【００２０】
一実施例において、前記装置は、
前記ｉ＋１枚目のイメージが最後の１枚のイメージである場合、透明度が０である前記第１解像度バージョンのｉ＋１枚目のイメージを、現在に表示されている、前記第２解像度バージョンのｉ＋１枚目のイメージの上に重ね合わせるためのバージョン重合モジュールと、
前記第１解像度バージョンのｉ＋１枚目のイメージの透明度を、０から１に、次第に、調整するための第２調整モジュールと
を、さらに、備える。
【００２１】
本発明の実施例に係る第３の態様によると、イメージ切替装置を提供し、前記装置は、
プロセッサと、
プロセッサが実行可能な命令を記憶するためのメモリと
を備え、
前記プロセッサは、
第１解像度バージョンのｉ（ｉ≧１）枚目のイメージを、現在に表示されている、解像度が前記第１解像度バージョンの解像度より高い第２解像度バージョンの前記ｉ枚目のイメージの上に重ね合わせ、
前記第２解像度バージョンのｉ枚目のイメージを、第２解像度バージョンのｉ＋１枚目のイメージに置き換え、
所定のアニメーション効果によって、前記第１解像度バージョンのｉ枚目のイメージを非表示にし、前記第２解像度バージョンのｉ＋１枚目のイメージを表示する
ように構成される。
【００２２】
本発明の実施例により提供する技術方案の有益な効果は、以下のとおりである。
【００２３】
第１解像度バージョンのｉ枚目のイメージを、現在に表示されている第２解像度バージョンのｉ枚目のイメージの上に重ね合わせてから、第２解像度バージョンのｉ枚目のイメージを、第２解像度バージョンのｉ＋１枚目のイメージに置き換える。次に、所定のアニメーション効果によって、第１解像度バージョンのｉ枚目のイメージを非表示にし、第２解像度バージョンのｉ＋１枚目のイメージを表示させる。これにより、背景技術における、複数枚の４Ｋイメージを所定のアニメーション効果によってスムーズに切替できず、４Ｋイメージを切替表示する際の効果が悪くなる、課題を解決した。隣接する２枚の第２解像度バージョンのイメージ同士を切替する過程において、第１解像度バージョンの前の１枚のイメージをつながりとして、当該第１解像度バージョンの前の１枚のイメージによって発生したアニメーション効果によって、隣接する２枚の第２解像度バージョンのイメージの間のスムーズな切替を実現した。これにより、２枚のイメージ同士を切替表示する際の効果を改善する上に、ユーザーエクスペリエンスも改善した。
【００２４】
以上の統括な記述と以下の細部記述は、ただ例示的なものであり、本発明を制限するものではないと、理解するべきである。
【図面の簡単な説明】
【００２５】
ここでの図面は、明細書に合併されて本明細書の一部を構成して本発明に合致する実施例を示し、明細書とともに本発明の原理を説明するのに用いられる。
【００２６】
【図１】例示的な一実施例に係るイメージ切替方法を示すフローチャートである。
【図２Ａ】例示的なもう一実施例に係るイメージ切替方法を示すフローチャートである。
【図２Ｂ】例示的な一実施例に係るイメージ切替表示に関する模式図である。
【図３】例示的な一実施例に係るイメージ切替装置を示すブロック図である。
【図４】例示的なもう一実施例に係るイメージ切替装置を示すブロック図である。
【図５】例示的な一実施例に係る装置を示すブロック図である。
【００２７】
上記図面によって本発明の明確な実施例を例示し、以下にさらに詳しく記述する。これらの図面と文字記述は本発明の旨の範囲を何らの形態によって制限するものではなく、特定の実施例を参照することによって、本技術分野の当業者に本発明の概念を理解させるためのものである。
【発明を実施するための形態】
【００２８】
ここで、例示的な実施例を詳細に説明し、また、説明中の例を図面に示している。以下の記述において、図面を説明する際に、特に、説明しない場合、異なる図面中の同一の符号は、同一、或は、同様な要素を意味する。以下の例示的な実施例において記述する実施方法は、本発明に合致するすべての実施方法を代表しない。逆に、それらは、添付の特許請求の範囲において詳細に記述された、本発明のいくつかの態様と合致する装置、及び方法の例に過ぎない。
【００２９】
まず、本発明の各々の実施例において言及される電子機器は、スマートフォン、タブレットＰＣ、電子ブックリーダー、ＭＰ３（Ｍｏｖｉｎｇ Ｐｉｃｔｕｒｅ Ｅｘｐｅｒｔｓ Ｇｒｏｕｐ Ａｕｄｉｏ Ｌａｙｅｒ ＩＩＩ）プレーヤー、ＭＰ４（Ｍｏｖｉｎｇ Ｐｉｃｔｕｒｅ Ｅｘｐｅｒｔｓ Ｇｒｏｕｐ Ａｕｄｉｏ Ｌａｙｅｒ ＩＶ）プレーヤー、ポータブルコンピュータ、デスクトップコンピュータ等であってもよいこと、を説明する必要がある。
【００３０】
また、電子機器には、イメージの第１解像度バージョンのイメージと第２解像度バージョンのイメージが予め記憶されている。１枚のイメージの上記の二つのバージョンのイメージは、第１解像度バージョンの解像度は第２解像度バージョンの解像度より低いし、且つ、第１解像度バージョンのイメージと第２解像度バージョンのイメージは、同一、又は、同様なイメージサイズ、色の彩度、及び輝度、等のパラメータを有する。
【００３１】
本発明の各々の実施例において、第１解像度バージョンが２Ｋ解像度バージョンであり、且つ、第２解像度バージョンが４Ｋ解像度バージョンである例を挙げて、説明する。他の実現可能な方法において、第１解像度バージョンは、例えば、７２０Ｐ解像度、１０８０Ｐ解像度、又は、２Ｋ解像度のような、より低い解像度バージョンであり、第２解像度バージョンは、例えば、４Ｋ解像度、又は、８Ｋ解像度のようなより高い解像度バージョンであってもよい。それで、１枚のイメージの上記の二つのバージョンのイメージは、第１解像度バージョンの解像度が第２解像度バージョンの解像度より低い条件を満たすだけでよいし、本実施例においては、上記の二つのバージョンのイメージの実際の解像度を具体的に制限しない。
【００３２】
図１は、例示的な一実施例に係るイメージ切替方法を示すフローチャートである。当該イメージ切替方法を電子機器において利用する例を挙げて、本実施例を説明する。当該イメージ切替方法は、以下のステップを含んでもよい。
【００３３】
ステップ１０２において、第１解像度バージョンのｉ（ｉ≧１）枚目のイメージを、現在に表示されている、解像度が第１解像度バージョンの解像度より高い第２解像度バージョンの、ｉ枚目のイメージの上に重ね合わせる。
【００３４】
ステップ１０４において、第２解像度バージョンのｉ枚目のイメージを、第２解像度バージョンのｉ＋１枚目のイメージに置き換える。
【００３５】
ステップ１０６において、所定のアニメーション効果によって、第１解像度バージョンのｉ枚目のイメージを非表示にし、第２解像度バージョンのｉ＋１枚目のイメージを表示する。
【００３６】
上記のように、本実施例により提供するイメージ切替方法によると、第１解像度バージョンのｉ枚目のイメージを、現在に表示されている第２解像度バージョンのｉ枚目のイメージの上に重ね合わせてから、第２解像度バージョンのｉ枚目のイメージを、第２解像度バージョンのｉ＋１枚目のイメージに置き換える。次に、所定のアニメーション効果によって、第１解像度バージョンのｉ枚目のイメージを非表示にし、第２解像度バージョンのｉ＋１枚目のイメージを表示させる。これにより、背景技術における、複数枚の４Ｋイメージを所定のアニメーション効果によってスムーズに切替できず、４Ｋイメージを切替表示する際の効果が悪くなる、課題を解決した。隣接する２枚の第２解像度バージョンのイメージ同士を切替する過程において、第１解像度バージョンの前の１枚のイメージを繋がりとして、当該第１解像度バージョンの前の１枚のイメージによって発生したアニメーション効果によって、隣接する２枚の第２解像度バージョンのイメージの間のスムーズな切替を実現した。これにより、２枚のイメージ同士を切替表示する際の効果を改善する上に、ユーザーエクスペリエンスも改善した。
【００３７】
図２Ａは、例示的なもう一実施例に係るイメージ切替方法を示すフローチャートである。当該イメージ切替方法を電子機器において利用する例を挙げて、本実施例を説明する。当該イメージ切替方法は、以下のステップを含んでもよい
【００３８】
ステップ２０１において、透明度が１である背景イメージを表示する。
【００３９】
一グループの第２解像度バージョンのイメージを切替して表示する前に、電子機器は、まず、透明度が１である背景イメージを表示する。背景イメージは、予め設定されたいかなるイメージであってもよいし、且つ、背景イメージは、第１解像度バージョンのイメージであってもよい。例えば、背景イメージは、１枚の２Ｋ解像度バージョンの黒色のイメージである。
【００４０】
背景イメージは、第２解像度バージョンの１枚目のイメージの上に重ね合わされる。当該１枚目のイメージは、表示待ちの一グループのイメージ中の１番目に表示されるイメージである。
【００４１】
本実施例において、表示待ちの一グループのイメージは３枚のイメージを含み、且つ、各イメージの第１解像度バージョンは２Ｋ解像度バージョンであり、第２解像度バージョンは４Ｋ解像度バージョンである例を挙げて、説明する。図２Ｂは、イメージ切替表示に関する模式図である。上記の３枚のイメージを切替表示する前に、透明度が１である背景イメージ２１を、４Ｋ解像度バージョンの１枚目のイメージ２２上に重ね合わせる。
【００４２】
実際の表示効果は、２枚のイメージお互いに重ね合わせる際に、前（上方）に位置するイメージは、後（下方）に位置するイメージの完全にカバーすることを、説明すべきである。図２Ｂにおいて、イメージの重ね合わせた様子を、もっと、はっきり示すために、破線によって後（下方）に位置するイメージを表示する。
【００４３】
ステップ２０２において、背景イメージの透明度を、１から０に、次第に、調整する。
【００４４】
背景イメージの透明度を、１から０に、次第に、調整する過程において、背景イメージは、不透明の状態から完全に透明な状態へ、次第に、変わる。即ち、背景イメージは、フェードアウトのアニメーション効果によってドロップアウトする。これと同時に、背景イメージの後に重ね合わされた第２解像度バージョンの１枚目のイメージが、次第に、現れる。
【００４５】
ステップ２０３において、第２解像度バージョンの１枚目のイメージを表示する。
【００４６】
背景イメージの透明度が０になった際に、第２解像度バージョンの１枚目のイメージが、完全に表示される。電子機器は、イメージを自動的に切替表示する際に、予め設定された表示時間にかけて、第２解像度バージョンの１枚目のイメージを表示する。電子機器は、ユーザがイメージを切替表示させるためのイベントをトリガーする際に、ユーザのトリガー信号を受信する前には、当該第２解像度バージョンの１枚目のイメージされている状態を維持する。
【００４７】
図２Ｂに示したように、背景イメージ２１の透明度を、１から０に、次第に、調整する際に、４Ｋ解像度バージョンの１枚目のイメージ２２を完全に表示する。
【００４８】
本実施例においては、ただ、前（上方）に位置するイメージの透明度を調整することにより、後（下方）に位置するイメージを次第に現すアニメーション効果によって、後（下方）に位置するイメージを切替表示する例を挙げて、説明した。しかし、他の実現可能な方法においては、さらに、ブラインド、チェス盤、飛出し、分裂、等の他のアニメーション効果によって、前（上方）に位置するイメージをドロップアウトすることにより、後（下方）に位置するイメージを切替表示してもよいし、これに対しては、本実施例において、具体的に制限しないことを説明する必要がある。
【００４９】
上記のステップ２０１〜ステップ２０３においては、背景イメージから第２解像度バージョンの１枚目のイメージに切替する場合を説明した。以下、ステップ２０４〜ステップ２０６において、前の１枚の第２解像度バージョンのイメージから後の１枚の第２解像度バージョンのイメージに切替する場合を説明する。
【００５０】
ステップ２０４において、第１解像度バージョンのｉ（ｉ≧１）枚目のイメージを、現在に表示されている第２解像度バージョンのｉ枚目のイメージの上に重合する。
【００５１】
１枚のイメージの二つの解像度バージョンのイメージは、第１解像度バージョンの解像度は第２解像度バージョンの解像度より低く、且つ、第１解像度バージョンのイメージと第２解像度バージョンのイメージは、同一、又は、同様なイメージサイズ、色の彩度、及び輝度、等のパラメータを有する。第１解像度バージョンのｉ枚目のイメージを現在に表示されている第２解像度バージョンのｉ枚目のイメージ上重ね合わせる際に、ユーザは、ｉ枚目のイメージの解像度が少し低下したことが感じられるだけであり、イメージの内容はぜんぜん変更されない。
【００５２】
本ステップは、以下の幾つかのサブステップを含んでもよい。
【００５３】
第１、透明度が０である第１解像度バージョンのｉ枚目のイメージを、現在に表示されている第２解像度バージョンのｉ枚目のイメージの上に重ね合わせる。
【００５４】
第２、第１解像度バージョンのｉ枚目のイメージの透明度を、０から１に、次第に、調整する。
【００５５】
第１解像度バージョンのｉ枚目のイメージの透明度を次第に調整する方法によって、現在に表示されている第２解像度バージョンのｉ枚目のイメージをカバーするとこにより、イメージの解像度が急に低下してユーザに与える視覚的インパクトを最大の程度避けることができる。これにより、ユーザに、イメージ切替過程に発生した差異を、より穏やかに順応させることができる。
【００５６】
図２Ｂに示したように、電子機器は、２Ｋ解像度バージョンの１枚目のイメージ２３を４Ｋ解像度バージョンの１枚目のイメージ２２上に重ね合わせる。
【００５７】
ステップ２０５において、第２解像度バージョンのｉ枚目のイメージを、第２解像度バージョンのｉ＋１枚目のイメージに置き換える。
【００５８】
第２解像度バージョンのｉ枚目のイメージが、第１解像度バージョンのｉ枚目のイメージに完全にカバーされた後、電子機器は、第２解像度バージョンのｉ枚目のイメージを、第２解像度バージョンのｉ＋１枚目のイメージに置き換える。上記の置き換える過程において、ユーザが見えるのは前方に表示される不透明の第１解像度バージョンのｉ枚目のイメージであり、後方の置き換える過程は感じることができない。
【００５９】
図２Ｂに示したように、電子機器は、４Ｋ解像度バージョンの１枚目のイメージ２２を、４Ｋ解像度バージョンの２枚目のイメージ２４に置き換える。
【００６０】
ステップ２０６において、所定のアニメーション効果によって、第１解像度バージョンのｉ枚目のイメージを非表示にし、第２解像度バージョンのｉ＋１枚目のイメージを表示する。
【００６１】
ここで、所定のアニメーション効果は、フェードアウト、ブラインド、チェス盤、飛出し、分裂、等によるアニメーション効果であってもよい。
【００６２】
所定のアニメーション効果がフェードアウトによるアニメーション効果である場合、本ステップは、以下のような幾つかのサブステップを含んでもよい。
【００６３】
第１、第１解像度バージョンのｉ枚目のイメージの透明度を、１から０に、次第に、調整する。
【００６４】
第２、第２解像度バージョンのｉ＋１枚目のイメージを表示する。
【００６５】
第１解像度バージョンのｉ枚目のイメージの透明度を１から０に、次第に調整する過程において、第１解像度バージョンのｉ枚目のイメージは、不透明の状態から完全に透明な状態へ、次第に、変わる。即ち、第１解像度バージョンのｉ枚目のイメージは、フェードアウトによるアニメーション効果によって、ドロップアウトする。これと同時に、第１解像度バージョンのｉ枚目のイメージの後（下方）に重ね合わせた第２解像度バージョンのｉ＋１枚目のイメージが、次第に現れる。第１解像度バージョンのｉ枚目のイメージの透明度が０になった際に、第２解像度バージョンのｉ＋１枚目のイメージが、完全に表示される。
【００６６】
また、電子機器は、イメージを自動的に切替表示する際に、予め設定された表示時間にかけて、第２解像度バージョンのｉ＋１枚目のイメージを表示する。電子機器は、ユーザがイメージを切替表示させるためのイベントをトリガーする際に、ユーザのトリガー信号を受信する前には、当該第２解像度バージョンのｉ＋１枚目のイメージを表示されている状態を維持する。
【００６７】
図２Ｂに示したように、２Ｋ解像度バージョンの１枚目のイメージ２３の透明度を、１から０に、次第に、調整する際に、４Ｋ解像度バージョンの２枚目のイメージ２４を完全に表示する。また、４Ｋ解像度バージョンの２枚目のイメージ２４から４Ｋ解像度バージョンの３枚目のイメージ２６に切替する過程は、４Ｋ解像度バージョンの１枚目のイメージ２２から４Ｋ解像度バージョンの２枚目のイメージ２４に切替する過程と同一であるため、説明を繰り返さない。
【００６８】
ステップ２０７において、ｉ＋１枚目のイメージが最後の１枚のイメージである場合、透明度が０である第１解像度バージョンのｉ＋１枚目のイメージを、現在に表示されている、第２解像度バージョンのｉ＋１枚目のイメージ上に重ね合わせる。
【００６９】
ステップ２０８において、第１解像度バージョンのｉ＋１枚目のイメージの透明度を、０から１に、次第に、調整する。
【００７０】
上記のステップ２０７〜ステップ２０８は、ステップ２０４と同様である。即ち、一グループのイメージの最後の１枚の第２解像度バージョンのイメージを表示した後、第１解像度バージョンの当該最後の１枚のイメージの透明度を次第に調整する方法によって、現在に表示されている最後の１枚の第２解像度バージョンのイメージをカバーすることにより、ユーザの視野から、第２解像度バージョンの最後の１枚のイメージを、次第に、消す。
【００７１】
図２Ｂに示したように、電子機器は、２Ｋ解像度バージョンの３枚目のイメージ２７を４Ｋ解像度バージョンの３枚目のイメージ２６の上重ね合わせてから、２Ｋ解像度バージョンの３枚目のイメージ２７の透明度を、０から１に、次第に、調整することにより、４Ｋ解像度バージョンの３枚目のイメージ２６を次第に、消す。
【００７２】
上記のように、本実施例により提供するイメージ切替方法によると、第１解像度バージョンのｉ枚目のイメージを、現在に表示されている第２解像度バージョンのｉ枚目のイメージの上に重ね合わせてから、第２解像度バージョンのｉ枚目のイメージを、第２解像度バージョンのｉ＋１枚目のイメージに置き換える。次に、所定のアニメーション効果によって、第１解像度バージョンのｉ枚目のイメージを非表示にし、第２解像度バージョンのｉ＋１枚目のイメージを表示させる。これにより、背景技術における、複数枚の４Ｋイメージを所定のアニメーション効果によってスムーズに切替できず、４Ｋイメージを切替表示する際の効果が悪くなる、課題を解決した。隣接する２枚の第２解像度バージョンのイメージ同士を切替する過程において、第１解像度バージョンの前の１枚のイメージを繋がりとして、当該第１解像度バージョンの前の１枚のイメージによって発生したアニメーション効果によって、隣接する２枚の第２解像度バージョンのイメージの間のスムーズな切替を実現した。これにより、２枚のイメージ同士を切替表示する際の効果を改善する上に、ユーザーエクスペリエンスも改善した。
【００７３】
また、本実施例により提供するイメージ切替方法によると、第１解像度バージョンの前の１枚のイメージの透明度を調整することにより、第１解像度バージョンの前の１枚のイメージをカットシーンとして、後の１枚の第２解像度バージョンのイメージを次第に現す。これにより、これにより、ユーザに、イメージ切替過程に発生した差異を、より穏やかに順応させることができる。同時に、電子機器に対する演算処理能力の要求を充分に減少して、イメージ同士の切替のスムーズ度を保証した。
【００７４】
以下は、本発明の装置の実施例であり、本発明の方法の実施例を実行することができる。本発明の装置の実施例において記述していない細部内容に対しては、本発明の方法の実施例を参照してください。
【００７５】
図３は、例示的な一実施例に係るイメージ切替装置を示すブロック図である。当該イメージ切替装置は、ソフトウェア、ハードウェア、又は両者の組み合わせによって、電子機器の一部、又は全部を実現できる。当該イメージ切替装置は、イメージ重合モジュール３１０、イメージ置換モジュール３２０、及びイメージ表示モジュール３３０を備えてもよい。
【００７６】
イメージ重合モジュール３１０は、第１解像度バージョンのｉ（ｉ≧１）枚目のイメージを、現在に表示されている、解像度が前記第１解像度バージョンの解像度より高い第２解像度バージョンの前記ｉ枚目のイメージの上に重ね合わせる。
【００７７】
イメージ置換モジュール３２０は、前記第２解像度バージョンのｉ枚目のイメージを、第２解像度バージョンのｉ＋１枚目のイメージに置き換える。
【００７８】
イメージ表示モジュール３３０は、所定のアニメーション効果によって、前記第１解像度バージョンのｉ枚目のイメージを非表示にし、前記第２解像度バージョンのｉ＋１枚目のイメージを表示する。
【００７９】
上記のように、本実施例により提供するイメージ切替装置によると、第１解像度バージョンのｉ枚目のイメージを、現在に表示されている第２解像度バージョンのｉ枚目のイメージの上に重ね合わせてから、第２解像度バージョンのｉ枚目のイメージを、第２解像度バージョンのｉ＋１枚目のイメージに置き換える。次に、所定のアニメーション効果によって、第１解像度バージョンのｉ枚目のイメージを非表示にし、第２解像度バージョンのｉ＋１枚目のイメージを表示させる。これにより、背景技術における、複数枚の４Ｋイメージを所定のアニメーション効果によってスムーズに切替できず、４Ｋイメージを切替表示する際の効果が悪くなる、課題を解決した。隣接する２枚の第２解像度バージョンのイメージ同士を切替する過程において、第１解像度バージョンの前の１枚のイメージを繋がりとして、当該第１解像度バージョンの前の１枚のイメージによって発生したアニメーション効果によって、隣接する２枚の第２解像度バージョンのイメージの間のスムーズな切替を実現した。これにより、２枚のイメージ同士を切替表示する際の効果を改善する上に、ユーザーエクスペリエンスも改善した。
【００８０】
図４は、例示的なもう一実施例に係るイメージ切替装置を示すブロック図である。当該イメージ切替装置は、ソフトウェア、ハードウェア、又は両者の組み合わせによって、電子機器の一部、又は全部を実現できる。当該イメージ切替装置は、イメージ重合モジュール３１０、イメージ置換モジュール３２０、及びイメージ表示モジュール３３０を備えてもよい。
【００８１】
前記イメージ重合モジュール３１０は、第１解像度バージョンのｉ（ｉ≧１）枚目のイメージを、現在に表示されている、解像度が前記第１解像度バージョンの解像度より高い第２解像度バージョンの前記ｉ枚目のイメージの上に重ね合わせる。
【００８２】
前記イメージ重合モジュール３１０は、イメージ重合ユニット３１０ａ、及び第１調整ユニット３１０ｂを備えてもよい。
【００８３】
前記イメージ重合ユニット３１０ａは、透明度が０である前記第１解像度バージョンのｉ枚目のイメージを、現在に表示されている、前記第２解像度バージョンのｉ枚目のイメージの上に重ね合わせる。
【００８４】
前記第１調整ユニット３１０ｂは、前記第１解像度バージョンのｉ枚目のイメージの透明度を、０から１に、次第に、調整する。
【００８５】
前記イメージ置換モジュール３２０は、前記第２解像度バージョンのｉ枚目のイメージを、第２解像度バージョンのｉ＋１枚目のイメージに置き換える。
【００８６】
前記イメージ表示モジュール３３０は、所定のアニメーション効果によって、前記第１解像度バージョンのｉ枚目のイメージを非表示にし、前記第２解像度バージョンのｉ＋１枚目のイメージを表示する。
【００８７】
前記イメージ表示モジュール３３０は、第２調整ユニット３３０ａ、及びイメージ表示ユニット３３０ｂを備えてもよい。
【００８８】
前記第２調整ユニット３３０ａは、前記第１解像度バージョンのｉ枚目のイメージの透明度を、１から０に、次第に、調整する。
【００８９】
前記イメージ表示ユニット３３０ｂは、前記第２解像度バージョンのｉ＋１枚目のイメージを表示する。
【００９０】
一実施例において、前記装置は、背景表示モジュール３０１、第１調整モジュール３０２、及び第１表示モジュール３０３を、さらに、備える。
【００９１】
背景表示モジュール３０１は、透明度が１である、第１解像度バージョンの背景イメージを、第２解像度バージョンの１枚目のイメージの上に重ね合わせて表示する。
【００９２】
第１調整モジュール３０２は、前記背景イメージの透明度を、１から０に、次第に、調整する。
【００９３】
第１表示モジュール３０３は、前記第２解像度バージョンの１枚目のイメージを表示する。
【００９４】
一実施例において、前記装置は、バージョン重合モジュール３３１、及び第２調整モジュール３３２を、さらに、備える。
【００９５】
バージョン重合モジュール３３１は、前記ｉ＋１枚目のイメージが最後の１枚のイメージである場合、透明度が０である前記第１解像度バージョンのｉ＋１枚目のイメージを、現在に表示されている、前記第２解像度バージョンのｉ＋１枚目のイメージの上に重ね合わせる。
【００９６】
第２調整モジュール３３２は、前記第１解像度バージョンのｉ＋１枚目のイメージの透明度を、０から１に、次第に、調整する。
【００９７】
上記のように、本実施例により提供するイメージ切替装置によると、第１解像度バージョンのｉ枚目のイメージを、現在に表示されている第２解像度バージョンのｉ枚目のイメージの上に重ね合わせてから、第２解像度バージョンのｉ枚目のイメージを、第２解像度バージョンのｉ＋１枚目のイメージに置き換える。次に、所定のアニメーション効果によって、第１解像度バージョンのｉ枚目のイメージを非表示にし、第２解像度バージョンのｉ＋１枚目のイメージを表示させる。これにより、背景技術における、複数枚の４Ｋイメージを所定のアニメーション効果によってスムーズに切替できず、４Ｋイメージを切替表示する際の効果が悪くなる、課題を解決した。隣接する２枚の第２解像度バージョンのイメージ同士を切替する過程において、第１解像度バージョンの前の１枚のイメージを繋がりとして、当該第１解像度バージョンの前の１枚のイメージによって発生したアニメーション効果によって、隣接する２枚の第２解像度バージョンのイメージの間のスムーズな切替を実現した。これにより、２枚のイメージ同士を切替表示する際の効果を改善する上に、ユーザーエクスペリエンスも改善した。
【００９８】
また、本実施例により提供するイメージ切替方法によると、第１解像度バージョンの前の１枚のイメージの透明度を調整することにより、第１解像度バージョンの前の１枚のイメージをカットシーンとして、後の１枚の第２解像度バージョンのイメージを次第に現す。これにより、これにより、ユーザに、イメージ切替過程に発生した差異を、より穏やかに順応させることができる。同時に、電子機器に対する演算処理能力の要求を充分に減少して、イメージ同士の切替のスムーズ度を保証した。
【００９９】
上記の実施例の装置について、その各モジュールが実行する操作の具体的な形態は既に当該方法に関する実施例において詳細に説明したため、ここでは詳細に説明しない。
【０１００】
図５は、例示的な一実施例に係るイメージ切替装置を示すブロック図である。例えば、装置５００は、携帯電話、コンピュータ、デジタル放送端末、メッセージ送受信デバイス、ゲームコンソール、タブレットデバイス、医療機器、フィットネス機器、パーソナルデジタルアシスタント等であってもよい。
【０１０１】
図５を参照して、装置５００は、プロセスアセンブリ５０２、メモリ５０４、電源アセンブリ５０６、マルチメディアアセンブリ５０８、オーディオアセンブリ５１０、入出力（Ｉ／Ｏ）インターフェイス５１２、センサアセンブリ５１４、及び通信アセンブリ５１６のような一つ以上のアセンブリを含んでよい。
【０１０２】
プロセスアセンブリ５０２は、一般的には装置５００の全体の操作を制御するものであり、例えば、表示、電話呼び出し、データ通信、カメラ操作、及び記録操作と関連する操作を制御する。プロセスアセンブリ５０２は、一つ以上のプロセッサ５２０を含み、これらによって命令を実行することにより、上記の方法の全部、或は一部のステップを実現するようにしてもよい。なお、プロセスアセンブリ５０２は、一つ以上のモジュールを含み、これらによってプロセスアセンブリ５０２と他のアセンブリの間のインタラクションを容易にするようにしてもよい。例えば、プロセスアセンブリ５０２は、マルチメディアモジュールを含み、これらによってマルチメディアアセンブリ５０８とプロセスアセンブリ５０２の間のインタラクションを容易にするようにしてもよい。
【０１０３】
メモリ５０４は、各種類のデータを記憶することにより装置５００の操作を支援するように構成される。これらのデータの例は、装置５００において操作されるいずれのアプリケーションプログラム又は方法の命令、連絡対象データ、電話帳データ、メッセージ、画像、ビデオ等を含む。メモリ５０４は、いずれの種類の揮発性メモリ、不揮発性メモリ記憶デバイスまたはそれらの組み合わせによって実現されてもよく、例えば、ＳＲＡＭ（Ｓｔａｔｉｃ  Ｒａｎｄｏｍ  Ａｃｃｅｓｓ  Ｍｅｍｏｒｙ）ＥＥＰＲＯＭ（Ｅｌｅｃｔｒｉｃａｌｌｙ Ｅｒａｓａｂｌｅ Ｐｒｏｇｒａｍｍａｂｌｅ Ｒｅａｄ−Ｏｎｌｙ Ｍｅｍｏｒｙ）、ＥＰＲＯＭ（Ｅｒａｓａｂｌｅ Ｐｒｏｇｒａｍｍａｂｌｅ Ｒｅａｄ Ｏｎｌｙ Ｍｅｍｏｒｙ）、ＰＲＯＭ（ Ｐｒｏｇｒａｍｍａｂｌｅ ＲＯＭ）、ＲＯＭ（Ｒｅａｄ Ｏｎｌｙ Ｍｅｍｂｅｒ）、磁気メモリ、フラッシュメモリ、磁気ディスク、或いは光ディスクである。
【０１０４】
電源アセンブリ５０６は、装置５００の多様なアセンブリに電力を供給する。電源アセンブリ５０６は、電源管理システム、一つ以上の電源、及び装置５００のための電力の生成、管理及び割り当てに関連する他のアセンブリを含んでもよい。
【０１０５】
マルチメディアアセンブリ５０８は、前記装置５００とユーザの間に一つの出力インターフェイスを提供するスクリーンを含む。上記の実施例において、スクリーンは液晶モニター（ＬＣＤ）とタッチパネル（ＴＰ）を含んでもよい。スクリーンがタッチパネルを含むことにより、スクリーンはタッチスクリーンを実現することができ、ユーザからの入力信号を受信することができる。タッチパネルは一つ以上のタッチセンサを含んでおり、タッチ、スライド、及びタッチパネル上のジェスチャを検出することができる。前記タッチセンサは、タッチ、或はスライドの動作の境界だけでなく、前記のタッチ、或はスライド操作に係る継続時間及び圧力も検出できる。上記の実施例において、マルチメディアアセンブリ５０８は、一つのフロントカメラ、及び／又はリアカメラを含む。装置５００が、例えば撮影モード、或はビデオモード等の操作モードにある場合、フロントカメラ、及び／又はリアカメラは外部からマルチメディアデータを受信できる。フロントカメラとリアカメラのそれぞれは、一つの固定型の光レンズ系、或は可変焦点距離と光学ズーム機能を有するものであってもよい。
【０１０６】
オーディオアセンブリ５１０は、オーディオ信号を入出力するように構成されてもよい。例えば、オーディオアセンブリ５１０は、一つのマイク（ＭＩＣ）を含み、装置５００が、例えば呼出しモード、記録モード、及び音声認識モード等の操作モードにある場合、マイクは外部のオーディオ信号を受信することができる。受信されたオーディオ信号は、さらにメモリ５０４に記憶されたり、通信アセンブリ５１６を介して送信されたりされる。上記の実施例において、オーディオアセンブリ５１０は、オーディオ信号を出力するための一つのスピーカーをさらに含む。
【０１０７】
Ｉ／Ｏインターフェイス５１２は、プロセスアセンブリ５０２と周辺インターフェイスモジュールの間にインターフェイスを提供するものであり、上記周辺インターフェイスモジュールは、キーボード、クリックホイール、ボタン等であってもよい。これらのボタンは、ホームボタン、ボリュームボタン、起動ボタン、ロッキングボタンを含んでもよいが、これらに限定されない。
【０１０８】
センサアセンブリ５１４は、装置５００に各方面の状態に対する評価を提供するための一つ以上のセンサを含む。例えば、センサアセンブリ５１４は、装置５００のＯＮ／ＯＦＦ状態、装置５００のディスプレイとキーパッドのようなアセンブリの相対的な位置決めを検出できる。また、例えば、センサアセンブリ５１４は、装置５００、或は装置５００の一つのアセンブリの位置変更、ユーザと装置５００とが接触しているか否か、装置５００の方位、又は加速／減速、装置５００の温度の変化を検出できる。センサアセンブリ５１４は、何れの物理的接触がない状態にて付近の物体の存在を検出するための近接センサを含んでもよい。センサアセンブリ５１４は、撮影アプリケーションに適用するため、ＣＭＯＳ、又はＣＣＤ図像センサのような光センサを含んでもよい。上記の実施例において、当該センサアセンブリ５１４は、加速度センサ、ジャイロスコープセンサ、磁気センサ、圧力センサ、及び温度センサをさらに含んでもよい。
【０１０９】
通信アセンブリ５１６は、装置５００と他の機器の間に有線、又は無線形態の通信を提供する。装置５００は、例えばＷｉＦｉ、２Ｇ、３Ｇ、或はこれらの組み合わせのような、通信規格に基づいた無線ネットワークに接続されてもよい。一つの例示的な実施例において、通信アセンブリ５１６は、放送チャンネルを介して外部の放送管理システムからの放送信号、又は放送に関連する情報を受信する。一つの例示的な実施例において、前記通信アセンブリ５１６は、近距離無線通信（ＮＦＣ）モジュールをさらに含むことにより、近距離通信を推進するようにする。例えば、ＮＦＣモジュールは、ＲＦＩＤ（Ｒａｄｉｏ Ｆｒｅｑｕｅｎｃｙ ＩＤｅｎｔｉｆｉｃａｔｉｏｎ）技術、ＩｒＤＡ（Ｉｎｆｒａｒｅｄ Ｄａｔａ Ａｓｓｏｃｉａｔｉｏｎ）技術、ＵＷＢ（Ｕｌｔｒａ Ｗｉｄｅ Ｂａｎｄ）技術、ＢＴ（Ｂｌｕｅｔｏｏｔｈ）技術、他の技術に基づいて実現できる。
【０１１０】
例示的な実施例において、装置５００は、一つ以上のＡＳＩＣ（Ａｐｐｌｉｃａｔｉｏｎ  Ｓｐｅｃｉｆｉｃ Ｉｎｔｅｇｒａｔｅｄ Ｃｉｒｃｕｉｔ）、ＤＳＰ（Ｄｉｇｉｔａｌ Ｓｉｇｎａｌ Ｐｒｏｃｅｓｓｏｒ）、ＤＳＰＤ（Ｄｉｇｉｔａｌ Ｓｉｇｎａｌ Ｐｒｏｃｅｓｓｉｎｇ Ｄｅｖｉｃｅ）、ＰＬＤ（Ｐｒｏｇｒａｍｍａｂｌｅ Ｌｏｇｉｃ Ｄｅｖｉｃｅ）、ＦＰＧＡ（Ｆｉｅｌｄ−Ｐｒｏｇｒａｍｍａｂｌｅ Ｇａｔｅ Ａｒｒａｙ）、コントローラ、マイクロコントローラ、マイクロプロセッサ、または他の電子部品によって実現されることにより、上記の図１、若しくは、図２Ａに示したイメージ切替方法を実行することができる。
【０１１１】
例示的な実施例において、さらに、命令を含むコンピュータ読取り可能な非一時的な記録媒体、例えば命令を含むメモリ５０４を提供しており、装置５００のプロセッサ５２０により上記命令を実行して上記方法を実現する。例えば、前記コンピュータ読取り可能な非一時的な記録媒体は、ＲＯＭ、ＲＡＭ、ＣＤ-ＲＯＭ、磁気テープ、フロッピーディスク、光データ記憶デバイス等である。
【０１１２】
コンピュータ読取り可能な非一時的な記録媒体は、当該記録媒体中の命令が装置５００のプロセッサによって実行される際に、装置５００に上記の図１、又は図２Ａに示したイメージ切替方法を実行させることができる。
【０１１３】
当業者は、明細書を検討して本発明を実践した後、本発明の他の実施案を容易に考え出すことができる。本願は、本発明のいずれの変形、用途、又は適応的な変更をカバーすることを狙っているし、これらの変形、用途、又は適応的な変更は、本発明の一般的な原理に従い、また、本発明は公開していない当業界の公知の知識又は通常の技術手段を含む。明細書と実施例はただ例示として考慮され、本発明の本当の範囲と精神は以下の特許請求の範囲に記載される。
【０１１４】
本発明は上記に記述され、また図面で示した正確な構成に限定されず、その範囲を逸脱しない限り多様な置換えと変更を行うことができると、理解するべきである。本発明の範囲は添付の特許請求の範囲のみにより限定される。
【図１】
2016530554.tif 000003
【図２Ａ】
2016530554.tif 000004
【図２Ｂ】
2016530554.tif 000005
【図３】
2016530554.tif 000006
【図４】
2016530554.tif 000007
【図５】
2016530554.tif 000008
【手続補正書】
【提出日】平成26年12月22日(2014.12.22)
【手続補正１】
【補正対象書類名】明細書
【補正対象項目名】全文
【補正方法】変更
【補正の内容】
【発明の詳細な説明】
【相互参照】
【０００１】
本願は、出願番号が２０１４１０２５７７１６．Ｘであって、出願日が２０１４年６月１１日である中国特許出願に基づいて優先権を主張し、当該中国特許出願のすべての内容を援用するようにする。
【技術分野】
【０００２】
本発明は、画像処理技術分野に関し、特に、イメージ切替方法、装置、プログラム、及び記録媒体に関する。
【背景技術】
【０００３】
４Ｋ解像度は、新興のデジタルフィルム、及びコンピュータ動画の超高解像度の規格である。一般の４Ｋ解像度には、３８４０×２１６０画素と４０９６×２１６０画素２との二種の規格がある。“４Ｋ”との名称は、水平方向における画素数から得られたものである。
【０００４】
４Ｋの技術の発展に伴い、４Ｋテレビ、４Ｋイメージ、４Ｋ動画も、ますます、人々に注目される。ここで、４Ｋイメージとは４Ｋ解像度のイメージを意味するものであり、４Ｋイメージは超高解像度画像とも呼ばれている。４Ｋイメージは、表示がきめ細かく、色があでやかであるため、ユーザは、４Ｋイメージによって、画面中のすべての細部とすべてのクローズアップをはっきり見ることができる。
【０００５】
発明者は、本発明を実現する過程において、上記の方法には少なくても以下の欠陥が存在することを見つけた。現在の４Ｋ技術に束縛されて、複数枚の４Ｋイメージを所定のアニメーション効果によってスムーズに切替できず、４Ｋイメージを切替表示する際の効果が悪くなる。
【発明の概要】
【０００６】
上記の技術における、複数枚の４Ｋイメージを所定のアニメーション効果によってスムーズに切替できず、４Ｋイメージを切替表示する際の効果が悪くなる課題を解決するために、本発明に係る実施例は、イメージ切替方法、装置、プログラム、及び記録媒体を提供する。前記技術方案は、以下のとおりである。
【０００７】
本発明の実施例に係る第１の態様によると、イメージ切替方法を提供し、前記方法は、
第１解像度バージョンのｉ（ｉ≧１）枚目のイメージを、現在に表示されている、解像度が前記第１解像度バージョンの解像度より高い第２解像度バージョンの前記ｉ枚目のイメージの上に重ね合わせるステップと、
前記第２解像度バージョンのｉ枚目のイメージを、第２解像度バージョンのｉ＋１枚目のイメージに置き換えるステップと、
所定のアニメーション効果によって、前記第１解像度バージョンのｉ枚目のイメージを非表示にし、前記第２解像度バージョンのｉ＋１枚目のイメージを表示するステップと
を含む。
【０００８】
一実施例において、前記第１解像度バージョンのｉ枚目のイメージを、現在に表示されている、前記第２解像度バージョンのｉ枚目のイメージの上に重ね合わせるステップは、
透明度が０である前記第１解像度バージョンのｉ枚目のイメージを、現在に表示されている、前記第２解像度バージョンのｉ枚目のイメージの上に重ね合わせるステップと、
前記第１解像度バージョンのｉ枚目のイメージの透明度を、０から１に、次第に、調整するステップと
を含む。
【０００９】
一実施例において、前記所定のアニメーション効果によって、前記第１解像度バージョンのｉ枚目のイメージを非表示にし、前記第２解像度バージョンのｉ＋１枚目のイメージを表示するステップは、
前記第１解像度バージョンのｉ枚目のイメージの透明度を、１から０に、次第に、調整するステップと、
前記第２解像度バージョンのｉ＋１枚目のイメージを表示するステップと
を含む。
【００１０】
一実施例において、前記方法は、
透明度が１である、第１解像度バージョンの背景イメージを、第２解像度バージョンの１枚目のイメージの上に重ね合わせて表示するステップと、
前記背景イメージの透明度を、１から０に、次第に、調整するステップと、
前記第２解像度バージョンの１枚目のイメージを表示するステップと
を、さらに、含む。
【００１１】
一実施例において、前記方法は、
前記ｉ＋１枚目のイメージが最後の１枚のイメージである場合、透明度が０である前記第１解像度バージョンのｉ＋１枚目のイメージを、現在に表示されている、前記第２解像度バージョンのｉ＋１枚目のイメージの上に重ね合わせるステップと、
前記第１解像度バージョンのｉ＋１枚目のイメージの透明度を、０から１に、次第に、調整するステップと
を、さらに、含む。
【００１２】
本発明の実施例に係る第２の態様によると、イメージ切替装置を提供し、前記装置は、
第１解像度バージョンのｉ（ｉ≧１）枚目のイメージを、現在に表示されている、解像度が前記第１解像度バージョンの解像度より高い第２解像度バージョンの前記ｉ枚目のイメージの上に重ね合わせるためのイメージ重合モジュールと、
前記第２解像度バージョンのｉ枚目のイメージを、第２解像度バージョンのｉ＋１枚目のイメージに置き換えるためのイメージ置換モジュールと、
所定のアニメーション効果によって、前記第１解像度バージョンのｉ枚目のイメージを非表示にし、前記第２解像度バージョンのｉ＋１枚目のイメージを表示するためのイメージ表示モジュールと
を備える。
【００１３】
一実施例において、前記イメージ重合モジュールは、イメージ重合ユニット、及び第１調整ユニットを備える。
【００１４】
前記イメージ重合ユニットは、透明度が０である前記第１解像度バージョンのｉ枚目のイメージを、現在に表示されている、前記第２解像度バージョンのｉ枚目のイメージの上に重ね合わせる。
【００１５】
前記第１調整ユニットは、前記第１解像度バージョンのｉ枚目のイメージの透明度を、０から１に、次第に、調整する。
【００１６】
一実施例において、前記イメージ表示モジュールは、第２調整ユニット、及びイメージ表示ユニットを備える。
【００１７】
前記第２調整ユニットは、前記第１解像度バージョンのｉ枚目のイメージの透明度を、１から０に、次第に、調整する。
【００１８】
前記イメージ表示ユニットは、前記第２解像度バージョンのｉ＋１枚目のイメージを表示する。
【００１９】
一実施例において、前記装置は、
透明度が１である、第１解像度バージョンの背景イメージを、第２解像度バージョンの１枚目のイメージの上に重ね合わせて表示するための背景表示モジュールと、
前記背景イメージの透明度を、１から０に、次第に、調整するための第１調整モジュールと、
前記第２解像度バージョンの１枚目のイメージを表示するための第１表示モジュールと
を、さらに、備える。
【００２０】
一実施例において、前記装置は、
前記ｉ＋１枚目のイメージが最後の１枚のイメージである場合、透明度が０である前記第１解像度バージョンのｉ＋１枚目のイメージを、現在に表示されている、前記第２解像度バージョンのｉ＋１枚目のイメージの上に重ね合わせるためのバージョン重合モジュールと、
前記第１解像度バージョンのｉ＋１枚目のイメージの透明度を、０から１に、次第に、調整するための第２調整モジュールと
を、さらに、備える。
【００２１】
本発明の実施例に係る第３の態様によると、イメージ切替装置を提供し、前記装置は、
プロセッサと、
プロセッサが実行可能な命令を記憶するためのメモリと
を備え、
前記プロセッサは、
第１解像度バージョンのｉ（ｉ≧１）枚目のイメージを、現在に表示されている、解像度が前記第１解像度バージョンの解像度より高い第２解像度バージョンの前記ｉ枚目のイメージの上に重ね合わせ、
前記第２解像度バージョンのｉ枚目のイメージを、第２解像度バージョンのｉ＋１枚目のイメージに置き換え、
所定のアニメーション効果によって、前記第１解像度バージョンのｉ枚目のイメージを非表示にし、前記第２解像度バージョンのｉ＋１枚目のイメージを表示する
ように構成される。
【００２２】
本発明にかかる実施例の第４の態様によると、プロセッサに実行されることにより、上記のイメージ切替方法を実現するプログラムを提供する。
【００２３】
本発明にかかる実施例の第５の態様によると、上記プログラムが記録された記録媒体を提供する。
【００２４】
本発明の実施例により提供する技術方案の有益な効果は、以下のとおりである。
【００２５】
第１解像度バージョンのｉ枚目のイメージを、現在に表示されている第２解像度バージョンのｉ枚目のイメージの上に重ね合わせてから、第２解像度バージョンのｉ枚目のイメージを、第２解像度バージョンのｉ＋１枚目のイメージに置き換える。次に、所定のアニメーション効果によって、第１解像度バージョンのｉ枚目のイメージを非表示にし、第２解像度バージョンのｉ＋１枚目のイメージを表示させる。これにより、背景技術における、複数枚の４Ｋイメージを所定のアニメーション効果によってスムーズに切替できず、４Ｋイメージを切替表示する際の効果が悪くなる、課題を解決した。隣接する２枚の第２解像度バージョンのイメージ同士を切替する過程において、第１解像度バージョンの前の１枚のイメージをつながりとして、当該第１解像度バージョンの前の１枚のイメージによって発生したアニメーション効果によって、隣接する２枚の第２解像度バージョンのイメージの間のスムーズな切替を実現した。これにより、２枚のイメージ同士を切替表示する際の効果を改善する上に、ユーザーエクスペリエンスも改善した。
【００２６】
以上の統括な記述と以下の細部記述は、ただ例示的なものであり、本発明を制限するものではないと、理解するべきである。
【図面の簡単な説明】
【００２７】
ここでの図面は、明細書に合併されて本明細書の一部を構成して本発明に合致する実施例を示し、明細書とともに本発明の原理を説明するのに用いられる。
【００２８】
【図１】例示的な一実施例に係るイメージ切替方法を示すフローチャートである。
【図２Ａ】例示的なもう一実施例に係るイメージ切替方法を示すフローチャートである。
【図２Ｂ】例示的な一実施例に係るイメージ切替表示に関する模式図である。
【図３】例示的な一実施例に係るイメージ切替装置を示すブロック図である。
【図４】例示的なもう一実施例に係るイメージ切替装置を示すブロック図である。
【図５】例示的な一実施例に係る装置を示すブロック図である。
【００２９】
上記図面によって本発明の明確な実施例を例示し、以下にさらに詳しく記述する。これらの図面と文字記述は本発明の旨の範囲を何らの形態によって制限するものではなく、特定の実施例を参照することによって、本技術分野の当業者に本発明の概念を理解させるためのものである。
【発明を実施するための形態】
【００３０】
ここで、例示的な実施例を詳細に説明し、また、説明中の例を図面に示している。以下の記述において、図面を説明する際に、特に、説明しない場合、異なる図面中の同一の符号は、同一、或は、同様な要素を意味する。以下の例示的な実施例において記述する実施方法は、本発明に合致するすべての実施方法を代表しない。逆に、それらは、添付の特許請求の範囲において詳細に記述された、本発明のいくつかの態様と合致する装置、及び方法の例に過ぎない。
【００３１】
まず、本発明の各々の実施例において言及される電子機器は、スマートフォン、タブレットＰＣ、電子ブックリーダー、ＭＰ３（ＭｏｖｉｎｇＰｉｃｔｕｒｅ Ｅｘｐｅｒｔｓ Ｇｒｏｕｐ Ａｕｄｉｏ ＬａｙｅｒＩＩＩ）プレーヤー、ＭＰ４（Ｍｏｖｉｎｇ Ｐｉｃｔｕｒｅ Ｅｘｐｅｒｔｓ ＧｒｏｕｐＡｕｄｉｏ Ｌａｙｅｒ ＩＶ）プレーヤー、ポータブルコンピュータ、デスクトップコンピュータ等であってもよいこと、を説明する必要がある。
【００３２】
また、電子機器には、イメージの第１解像度バージョンのイメージと第２解像度バージョンのイメージが予め記憶されている。１枚のイメージの上記の二つのバージョンのイメージは、第１解像度バージョンの解像度は第２解像度バージョンの解像度より低いし、且つ、第１解像度バージョンのイメージと第２解像度バージョンのイメージは、同一、又は、同様なイメージサイズ、色の彩度、及び輝度、等のパラメータを有する。
【００３３】
本発明の各々の実施例において、第１解像度バージョンが２Ｋ解像度バージョンであり、且つ、第２解像度バージョンが４Ｋ解像度バージョンである例を挙げて、説明する。他の実現可能な方法において、第１解像度バージョンは、例えば、７２０Ｐ解像度、１０８０Ｐ解像度、又は、２Ｋ解像度のような、より低い解像度バージョンであり、第２解像度バージョンは、例えば、４Ｋ解像度、又は、８Ｋ解像度のようなより高い解像度バージョンであってもよい。それで、１枚のイメージの上記の二つのバージョンのイメージは、第１解像度バージョンの解像度が第２解像度バージョンの解像度より低い条件を満たすだけでよいし、本実施例においては、上記の二つのバージョンのイメージの実際の解像度を具体的に制限しない。
【００３４】
図１は、例示的な一実施例に係るイメージ切替方法を示すフローチャートである。当該イメージ切替方法を電子機器において利用する例を挙げて、本実施例を説明する。当該イメージ切替方法は、以下のステップを含んでもよい。
【００３５】
ステップ１０２において、第１解像度バージョンのｉ（ｉ≧１）枚目のイメージを、現在に表示されている、解像度が第１解像度バージョンの解像度より高い第２解像度バージョンの、ｉ枚目のイメージの上に重ね合わせる。
【００３６】
ステップ１０４において、第２解像度バージョンのｉ枚目のイメージを、第２解像度バージョンのｉ＋１枚目のイメージに置き換える。
【００３７】
ステップ１０６において、所定のアニメーション効果によって、第１解像度バージョンのｉ枚目のイメージを非表示にし、第２解像度バージョンのｉ＋１枚目のイメージを表示する。
【００３８】
上記のように、本実施例により提供するイメージ切替方法によると、第１解像度バージョンのｉ枚目のイメージを、現在に表示されている第２解像度バージョンのｉ枚目のイメージの上に重ね合わせてから、第２解像度バージョンのｉ枚目のイメージを、第２解像度バージョンのｉ＋１枚目のイメージに置き換える。次に、所定のアニメーション効果によって、第１解像度バージョンのｉ枚目のイメージを非表示にし、第２解像度バージョンのｉ＋１枚目のイメージを表示させる。これにより、背景技術における、複数枚の４Ｋイメージを所定のアニメーション効果によってスムーズに切替できず、４Ｋイメージを切替表示する際の効果が悪くなる、課題を解決した。隣接する２枚の第２解像度バージョンのイメージ同士を切替する過程において、第１解像度バージョンの前の１枚のイメージを繋がりとして、当該第１解像度バージョンの前の１枚のイメージによって発生したアニメーション効果によって、隣接する２枚の第２解像度バージョンのイメージの間のスムーズな切替を実現した。これにより、２枚のイメージ同士を切替表示する際の効果を改善する上に、ユーザーエクスペリエンスも改善した。
【００３９】
図２Ａは、例示的なもう一実施例に係るイメージ切替方法を示すフローチャートである。当該イメージ切替方法を電子機器において利用する例を挙げて、本実施例を説明する。当該イメージ切替方法は、以下のステップを含んでもよい
【００４０】
ステップ２０１において、透明度が１である背景イメージを表示する。
【００４１】
一グループの第２解像度バージョンのイメージを切替して表示する前に、電子機器は、まず、透明度が１である背景イメージを表示する。背景イメージは、予め設定されたいかなるイメージであってもよいし、且つ、背景イメージは、第１解像度バージョンのイメージであってもよい。例えば、背景イメージは、１枚の２Ｋ解像度バージョンの黒色のイメージである。
【００４２】
背景イメージは、第２解像度バージョンの１枚目のイメージの上に重ね合わされる。当該１枚目のイメージは、表示待ちの一グループのイメージ中の１番目に表示されるイメージである。
【００４３】
本実施例において、表示待ちの一グループのイメージは３枚のイメージを含み、且つ、各イメージの第１解像度バージョンは２Ｋ解像度バージョンであり、第２解像度バージョンは４Ｋ解像度バージョンである例を挙げて、説明する。図２Ｂは、イメージ切替表示に関する模式図である。上記の３枚のイメージを切替表示する前に、透明度が１である背景イメージ２１を、４Ｋ解像度バージョンの１枚目のイメージ２２上に重ね合わせる。
【００４４】
実際の表示効果は、２枚のイメージお互いに重ね合わせる際に、前（上方）に位置するイメージは、後（下方）に位置するイメージの完全にカバーすることを、説明すべきである。図２Ｂにおいて、イメージの重ね合わせた様子を、もっと、はっきり示すために、破線によって後（下方）に位置するイメージを表示する。
【００４５】
ステップ２０２において、背景イメージの透明度を、１から０に、次第に、調整する。
【００４６】
背景イメージの透明度を、１から０に、次第に、調整する過程において、背景イメージは、不透明の状態から完全に透明な状態へ、次第に、変わる。即ち、背景イメージは、フェードアウトのアニメーション効果によってドロップアウトする。これと同時に、背景イメージの後に重ね合わされた第２解像度バージョンの１枚目のイメージが、次第に、現れる。
【００４７】
ステップ２０３において、第２解像度バージョンの１枚目のイメージを表示する。
【００４８】
背景イメージの透明度が０になった際に、第２解像度バージョンの１枚目のイメージが、完全に表示される。電子機器は、イメージを自動的に切替表示する際に、予め設定された表示時間にかけて、第２解像度バージョンの１枚目のイメージを表示する。電子機器は、ユーザがイメージを切替表示させるためのイベントをトリガーする際に、ユーザのトリガー信号を受信する前には、当該第２解像度バージョンの１枚目のイメージされている状態を維持する。
【００４９】
図２Ｂに示したように、背景イメージ２１の透明度を、１から０に、次第に、調整する際に、４Ｋ解像度バージョンの１枚目のイメージ２２を完全に表示する。
【００５０】
本実施例においては、ただ、前（上方）に位置するイメージの透明度を調整することにより、後（下方）に位置するイメージを次第に現すアニメーション効果によって、後（下方）に位置するイメージを切替表示する例を挙げて、説明した。しかし、他の実現可能な方法においては、さらに、ブラインド、チェス盤、飛出し、分裂、等の他のアニメーション効果によって、前（上方）に位置するイメージをドロップアウトすることにより、後（下方）に位置するイメージを切替表示してもよいし、これに対しては、本実施例において、具体的に制限しないことを説明する必要がある。
【００５１】
上記のステップ２０１〜ステップ２０３においては、背景イメージから第２解像度バージョンの１枚目のイメージに切替する場合を説明した。以下、ステップ２０４〜ステップ２０６において、前の１枚の第２解像度バージョンのイメージから後の１枚の第２解像度バージョンのイメージに切替する場合を説明する。
【００５２】
ステップ２０４において、第１解像度バージョンのｉ（ｉ≧１）枚目のイメージを、現在に表示されている第２解像度バージョンのｉ枚目のイメージの上に重合する。
【００５３】
１枚のイメージの二つの解像度バージョンのイメージは、第１解像度バージョンの解像度は第２解像度バージョンの解像度より低く、且つ、第１解像度バージョンのイメージと第２解像度バージョンのイメージは、同一、又は、同様なイメージサイズ、色の彩度、及び輝度、等のパラメータを有する。第１解像度バージョンのｉ枚目のイメージを現在に表示されている第２解像度バージョンのｉ枚目のイメージ上重ね合わせる際に、ユーザは、ｉ枚目のイメージの解像度が少し低下したことが感じられるだけであり、イメージの内容はぜんぜん変更されない。
【００５４】
本ステップは、以下の幾つかのサブステップを含んでもよい。
【００５５】
第１、透明度が０である第１解像度バージョンのｉ枚目のイメージを、現在に表示されている第２解像度バージョンのｉ枚目のイメージの上に重ね合わせる。
【００５６】
第２、第１解像度バージョンのｉ枚目のイメージの透明度を、０から１に、次第に、調整する。
【００５７】
第１解像度バージョンのｉ枚目のイメージの透明度を次第に調整する方法によって、現在に表示されている第２解像度バージョンのｉ枚目のイメージをカバーするとこにより、イメージの解像度が急に低下してユーザに与える視覚的インパクトを最大の程度避けることができる。これにより、ユーザに、イメージ切替過程に発生した差異を、より穏やかに順応させることができる。
【００５８】
図２Ｂに示したように、電子機器は、２Ｋ解像度バージョンの１枚目のイメージ２３を４Ｋ解像度バージョンの１枚目のイメージ２２上に重ね合わせる。
【００５９】
ステップ２０５において、第２解像度バージョンのｉ枚目のイメージを、第２解像度バージョンのｉ＋１枚目のイメージに置き換える。
【００６０】
第２解像度バージョンのｉ枚目のイメージが、第１解像度バージョンのｉ枚目のイメージに完全にカバーされた後、電子機器は、第２解像度バージョンのｉ枚目のイメージを、第２解像度バージョンのｉ＋１枚目のイメージに置き換える。上記の置き換える過程において、ユーザが見えるのは前方に表示される不透明の第１解像度バージョンのｉ枚目のイメージであり、後方の置き換える過程は感じることができない。
【００６１】
図２Ｂに示したように、電子機器は、４Ｋ解像度バージョンの１枚目のイメージ２２を、４Ｋ解像度バージョンの２枚目のイメージ２４に置き換える。
【００６２】
ステップ２０６において、所定のアニメーション効果によって、第１解像度バージョンのｉ枚目のイメージを非表示にし、第２解像度バージョンのｉ＋１枚目のイメージを表示する。
【００６３】
ここで、所定のアニメーション効果は、フェードアウト、ブラインド、チェス盤、飛出し、分裂、等によるアニメーション効果であってもよい。
【００６４】
所定のアニメーション効果がフェードアウトによるアニメーション効果である場合、本ステップは、以下のような幾つかのサブステップを含んでもよい。
【００６５】
第１、第１解像度バージョンのｉ枚目のイメージの透明度を、１から０に、次第に、調整する。
【００６６】
第２、第２解像度バージョンのｉ＋１枚目のイメージを表示する。
【００６７】
第１解像度バージョンのｉ枚目のイメージの透明度を１から０に、次第に調整する過程において、第１解像度バージョンのｉ枚目のイメージは、不透明の状態から完全に透明な状態へ、次第に、変わる。即ち、第１解像度バージョンのｉ枚目のイメージは、フェードアウトによるアニメーション効果によって、ドロップアウトする。これと同時に、第１解像度バージョンのｉ枚目のイメージの後（下方）に重ね合わせた第２解像度バージョンのｉ＋１枚目のイメージが、次第に現れる。第１解像度バージョンのｉ枚目のイメージの透明度が０になった際に、第２解像度バージョンのｉ＋１枚目のイメージが、完全に表示される。
【００６８】
また、電子機器は、イメージを自動的に切替表示する際に、予め設定された表示時間にかけて、第２解像度バージョンのｉ＋１枚目のイメージを表示する。電子機器は、ユーザがイメージを切替表示させるためのイベントをトリガーする際に、ユーザのトリガー信号を受信する前には、当該第２解像度バージョンのｉ＋１枚目のイメージを表示されている状態を維持する。
【００６９】
図２Ｂに示したように、２Ｋ解像度バージョンの１枚目のイメージ２３の透明度を、１から０に、次第に、調整する際に、４Ｋ解像度バージョンの２枚目のイメージ２４を完全に表示する。また、４Ｋ解像度バージョンの２枚目のイメージ２４から４Ｋ解像度バージョンの３枚目のイメージ２６に切替する過程は、４Ｋ解像度バージョンの１枚目のイメージ２２から４Ｋ解像度バージョンの２枚目のイメージ２４に切替する過程と同一であるため、説明を繰り返さない。
【００７０】
ステップ２０７において、ｉ＋１枚目のイメージが最後の１枚のイメージである場合、透明度が０である第１解像度バージョンのｉ＋１枚目のイメージを、現在に表示されている、第２解像度バージョンのｉ＋１枚目のイメージ上に重ね合わせる。
【００７１】
ステップ２０８において、第１解像度バージョンのｉ＋１枚目のイメージの透明度を、０から１に、次第に、調整する。
【００７２】
上記のステップ２０７〜ステップ２０８は、ステップ２０４と同様である。即ち、一グループのイメージの最後の１枚の第２解像度バージョンのイメージを表示した後、第１解像度バージョンの当該最後の１枚のイメージの透明度を次第に調整する方法によって、現在に表示されている最後の１枚の第２解像度バージョンのイメージをカバーすることにより、ユーザの視野から、第２解像度バージョンの最後の１枚のイメージを、次第に、消す。
【００７３】
図２Ｂに示したように、電子機器は、２Ｋ解像度バージョンの３枚目のイメージ２７を４Ｋ解像度バージョンの３枚目のイメージ２６の上重ね合わせてから、２Ｋ解像度バージョンの３枚目のイメージ２７の透明度を、０から１に、次第に、調整することにより、４Ｋ解像度バージョンの３枚目のイメージ２６を次第に、消す。
【００７４】
上記のように、本実施例により提供するイメージ切替方法によると、第１解像度バージョンのｉ枚目のイメージを、現在に表示されている第２解像度バージョンのｉ枚目のイメージの上に重ね合わせてから、第２解像度バージョンのｉ枚目のイメージを、第２解像度バージョンのｉ＋１枚目のイメージに置き換える。次に、所定のアニメーション効果によって、第１解像度バージョンのｉ枚目のイメージを非表示にし、第２解像度バージョンのｉ＋１枚目のイメージを表示させる。これにより、背景技術における、複数枚の４Ｋイメージを所定のアニメーション効果によってスムーズに切替できず、４Ｋイメージを切替表示する際の効果が悪くなる、課題を解決した。隣接する２枚の第２解像度バージョンのイメージ同士を切替する過程において、第１解像度バージョンの前の１枚のイメージを繋がりとして、当該第１解像度バージョンの前の１枚のイメージによって発生したアニメーション効果によって、隣接する２枚の第２解像度バージョンのイメージの間のスムーズな切替を実現した。これにより、２枚のイメージ同士を切替表示する際の効果を改善する上に、ユーザーエクスペリエンスも改善した。
【００７５】
また、本実施例により提供するイメージ切替方法によると、第１解像度バージョンの前の１枚のイメージの透明度を調整することにより、第１解像度バージョンの前の１枚のイメージをカットシーンとして、後の１枚の第２解像度バージョンのイメージを次第に現す。これにより、これにより、ユーザに、イメージ切替過程に発生した差異を、より穏やかに順応させることができる。同時に、電子機器に対する演算処理能力の要求を充分に減少して、イメージ同士の切替のスムーズ度を保証した。
【００７６】
以下は、本発明の装置の実施例であり、本発明の方法の実施例を実行することができる。本発明の装置の実施例において記述していない細部内容に対しては、本発明の方法の実施例を参照してください。
【００７７】
図３は、例示的な一実施例に係るイメージ切替装置を示すブロック図である。当該イメージ切替装置は、ソフトウェア、ハードウェア、又は両者の組み合わせによって、電子機器の一部、又は全部を実現できる。当該イメージ切替装置は、イメージ重合モジュール３１０、イメージ置換モジュール３２０、及びイメージ表示モジュール３３０を備えてもよい。
【００７８】
イメージ重合モジュール３１０は、第１解像度バージョンのｉ（ｉ≧１）枚目のイメージを、現在に表示されている、解像度が前記第１解像度バージョンの解像度より高い第２解像度バージョンの前記ｉ枚目のイメージの上に重ね合わせる。
【００７９】
イメージ置換モジュール３２０は、前記第２解像度バージョンのｉ枚目のイメージを、第２解像度バージョンのｉ＋１枚目のイメージに置き換える。
【００８０】
イメージ表示モジュール３３０は、所定のアニメーション効果によって、前記第１解像度バージョンのｉ枚目のイメージを非表示にし、前記第２解像度バージョンのｉ＋１枚目のイメージを表示する。
【００８１】
上記のように、本実施例により提供するイメージ切替装置によると、第１解像度バージョンのｉ枚目のイメージを、現在に表示されている第２解像度バージョンのｉ枚目のイメージの上に重ね合わせてから、第２解像度バージョンのｉ枚目のイメージを、第２解像度バージョンのｉ＋１枚目のイメージに置き換える。次に、所定のアニメーション効果によって、第１解像度バージョンのｉ枚目のイメージを非表示にし、第２解像度バージョンのｉ＋１枚目のイメージを表示させる。これにより、背景技術における、複数枚の４Ｋイメージを所定のアニメーション効果によってスムーズに切替できず、４Ｋイメージを切替表示する際の効果が悪くなる、課題を解決した。隣接する２枚の第２解像度バージョンのイメージ同士を切替する過程において、第１解像度バージョンの前の１枚のイメージを繋がりとして、当該第１解像度バージョンの前の１枚のイメージによって発生したアニメーション効果によって、隣接する２枚の第２解像度バージョンのイメージの間のスムーズな切替を実現した。これにより、２枚のイメージ同士を切替表示する際の効果を改善する上に、ユーザーエクスペリエンスも改善した。
【００８２】
図４は、例示的なもう一実施例に係るイメージ切替装置を示すブロック図である。当該イメージ切替装置は、ソフトウェア、ハードウェア、又は両者の組み合わせによって、電子機器の一部、又は全部を実現できる。当該イメージ切替装置は、イメージ重合モジュール３１０、イメージ置換モジュール３２０、及びイメージ表示モジュール３３０を備えてもよい。
【００８３】
前記イメージ重合モジュール３１０は、第１解像度バージョンのｉ（ｉ≧１）枚目のイメージを、現在に表示されている、解像度が前記第１解像度バージョンの解像度より高い第２解像度バージョンの前記ｉ枚目のイメージの上に重ね合わせる。
【００８４】
前記イメージ重合モジュール３１０は、イメージ重合ユニット３１０ａ、及び第１調整ユニット３１０ｂを備えてもよい。
【００８５】
前記イメージ重合ユニット３１０ａは、透明度が０である前記第１解像度バージョンのｉ枚目のイメージを、現在に表示されている、前記第２解像度バージョンのｉ枚目のイメージの上に重ね合わせる。
【００８６】
前記第１調整ユニット３１０ｂは、前記第１解像度バージョンのｉ枚目のイメージの透明度を、０から１に、次第に、調整する。
【００８７】
前記イメージ置換モジュール３２０は、前記第２解像度バージョンのｉ枚目のイメージを、第２解像度バージョンのｉ＋１枚目のイメージに置き換える。
【００８８】
前記イメージ表示モジュール３３０は、所定のアニメーション効果によって、前記第１解像度バージョンのｉ枚目のイメージを非表示にし、前記第２解像度バージョンのｉ＋１枚目のイメージを表示する。
【００８９】
前記イメージ表示モジュール３３０は、第２調整ユニット３３０ａ、及びイメージ表示ユニット３３０ｂを備えてもよい。
【００９０】
前記第２調整ユニット３３０ａは、前記第１解像度バージョンのｉ枚目のイメージの透明度を、１から０に、次第に、調整する。
【００９１】
前記イメージ表示ユニット３３０ｂは、前記第２解像度バージョンのｉ＋１枚目のイメージを表示する。
【００９２】
一実施例において、前記装置は、背景表示モジュール３０１、第１調整モジュール３０２、及び第１表示モジュール３０３を、さらに、備える。
【００９３】
背景表示モジュール３０１は、透明度が１である、第１解像度バージョンの背景イメージを、第２解像度バージョンの１枚目のイメージの上に重ね合わせて表示する。
【００９４】
第１調整モジュール３０２は、前記背景イメージの透明度を、１から０に、次第に、調整する。
【００９５】
第１表示モジュール３０３は、前記第２解像度バージョンの１枚目のイメージを表示する。
【００９６】
一実施例において、前記装置は、バージョン重合モジュール３３１、及び第２調整モジュール３３２を、さらに、備える。
【００９７】
バージョン重合モジュール３３１は、前記ｉ＋１枚目のイメージが最後の１枚のイメージである場合、透明度が０である前記第１解像度バージョンのｉ＋１枚目のイメージを、現在に表示されている、前記第２解像度バージョンのｉ＋１枚目のイメージの上に重ね合わせる。
【００９８】
第２調整モジュール３３２は、前記第１解像度バージョンのｉ＋１枚目のイメージの透明度を、０から１に、次第に、調整する。
【００９９】
上記のように、本実施例により提供するイメージ切替装置によると、第１解像度バージョンのｉ枚目のイメージを、現在に表示されている第２解像度バージョンのｉ枚目のイメージの上に重ね合わせてから、第２解像度バージョンのｉ枚目のイメージを、第２解像度バージョンのｉ＋１枚目のイメージに置き換える。次に、所定のアニメーション効果によって、第１解像度バージョンのｉ枚目のイメージを非表示にし、第２解像度バージョンのｉ＋１枚目のイメージを表示させる。これにより、背景技術における、複数枚の４Ｋイメージを所定のアニメーション効果によってスムーズに切替できず、４Ｋイメージを切替表示する際の効果が悪くなる、課題を解決した。隣接する２枚の第２解像度バージョンのイメージ同士を切替する過程において、第１解像度バージョンの前の１枚のイメージを繋がりとして、当該第１解像度バージョンの前の１枚のイメージによって発生したアニメーション効果によって、隣接する２枚の第２解像度バージョンのイメージの間のスムーズな切替を実現した。これにより、２枚のイメージ同士を切替表示する際の効果を改善する上に、ユーザーエクスペリエンスも改善した。
【０１００】
また、本実施例により提供するイメージ切替方法によると、第１解像度バージョンの前の１枚のイメージの透明度を調整することにより、第１解像度バージョンの前の１枚のイメージをカットシーンとして、後の１枚の第２解像度バージョンのイメージを次第に現す。これにより、これにより、ユーザに、イメージ切替過程に発生した差異を、より穏やかに順応させることができる。同時に、電子機器に対する演算処理能力の要求を充分に減少して、イメージ同士の切替のスムーズ度を保証した。
【０１０１】
上記の実施例の装置について、その各モジュールが実行する操作の具体的な形態は既に当該方法に関する実施例において詳細に説明したため、ここでは詳細に説明しない。
【０１０２】
図５は、例示的な一実施例に係るイメージ切替装置を示すブロック図である。例えば、装置５００は、携帯電話、コンピュータ、デジタル放送端末、メッセージ送受信デバイス、ゲームコンソール、タブレットデバイス、医療機器、フィットネス機器、パーソナルデジタルアシスタント等であってもよい。
【０１０３】
図５を参照して、装置５００は、プロセスアセンブリ５０２、メモリ５０４、電源アセンブリ５０６、マルチメディアアセンブリ５０８、オーディオアセンブリ５１０、入出力（Ｉ／Ｏ）インターフェイス５１２、センサアセンブリ５１４、及び通信アセンブリ５１６のような一つ以上のアセンブリを含んでよい。
【０１０４】
プロセスアセンブリ５０２は、一般的には装置５００の全体の操作を制御するものであり、例えば、表示、電話呼び出し、データ通信、カメラ操作、及び記録操作と関連する操作を制御する。プロセスアセンブリ５０２は、一つ以上のプロセッサ５２０を含み、これらによって命令を実行することにより、上記の方法の全部、或は一部のステップを実現するようにしてもよい。なお、プロセスアセンブリ５０２は、一つ以上のモジュールを含み、これらによってプロセスアセンブリ５０２と他のアセンブリの間のインタラクションを容易にするようにしてもよい。例えば、プロセスアセンブリ５０２は、マルチメディアモジュールを含み、これらによってマルチメディアアセンブリ５０８とプロセスアセンブリ５０２の間のインタラクションを容易にするようにしてもよい。
【０１０５】
メモリ５０４は、各種類のデータを記憶することにより装置５００の操作を支援するように構成される。これらのデータの例は、装置５００において操作されるいずれのアプリケーションプログラム又は方法の命令、連絡対象データ、電話帳データ、メッセージ、画像、ビデオ等を含む。メモリ５０４は、いずれの種類の揮発性メモリ、不揮発性メモリ記憶デバイスまたはそれらの組み合わせによって実現されてもよく、例えば、ＳＲＡＭ（Ｓｔａｔｉｃ  Ｒａｎｄｏｍ  Ａｃｃｅｓｓ  Ｍｅｍｏｒｙ）ＥＥＰＲＯＭ（ＥｌｅｃｔｒｉｃａｌｌｙＥｒａｓａｂｌｅ ＰｒｏｇｒａｍｍａｂｌｅＲｅａｄ−Ｏｎｌｙ Ｍｅｍｏｒｙ）、ＥＰＲＯＭ（ＥｒａｓａｂｌｅＰｒｏｇｒａｍｍａｂｌｅ ＲｅａｄＯｎｌｙ Ｍｅｍｏｒｙ）、ＰＲＯＭ（Ｐｒｏｇｒａｍｍａｂｌｅ ＲＯＭ）、ＲＯＭ（ＲｅａｄＯｎｌｙ Ｍｅｍｂｅｒ）、磁気メモリ、フラッシュメモリ、磁気ディスク、或いは光ディスクである。
【０１０６】
電源アセンブリ５０６は、装置５００の多様なアセンブリに電力を供給する。電源アセンブリ５０６は、電源管理システム、一つ以上の電源、及び装置５００のための電力の生成、管理及び割り当てに関連する他のアセンブリを含んでもよい。
【０１０７】
マルチメディアアセンブリ５０８は、前記装置５００とユーザの間に一つの出力インターフェイスを提供するスクリーンを含む。上記の実施例において、スクリーンは液晶モニター（ＬＣＤ）とタッチパネル（ＴＰ）を含んでもよい。スクリーンがタッチパネルを含むことにより、スクリーンはタッチスクリーンを実現することができ、ユーザからの入力信号を受信することができる。タッチパネルは一つ以上のタッチセンサを含んでおり、タッチ、スライド、及びタッチパネル上のジェスチャを検出することができる。前記タッチセンサは、タッチ、或はスライドの動作の境界だけでなく、前記のタッチ、或はスライド操作に係る継続時間及び圧力も検出できる。上記の実施例において、マルチメディアアセンブリ５０８は、一つのフロントカメラ、及び／又はリアカメラを含む。装置５００が、例えば撮影モード、或はビデオモード等の操作モードにある場合、フロントカメラ、及び／又はリアカメラは外部からマルチメディアデータを受信できる。フロントカメラとリアカメラのそれぞれは、一つの固定型の光レンズ系、或は可変焦点距離と光学ズーム機能を有するものであってもよい。
【０１０８】
オーディオアセンブリ５１０は、オーディオ信号を入出力するように構成されてもよい。例えば、オーディオアセンブリ５１０は、一つのマイク（ＭＩＣ）を含み、装置５００が、例えば呼出しモード、記録モード、及び音声認識モード等の操作モードにある場合、マイクは外部のオーディオ信号を受信することができる。受信されたオーディオ信号は、さらにメモリ５０４に記憶されたり、通信アセンブリ５１６を介して送信されたりされる。上記の実施例において、オーディオアセンブリ５１０は、オーディオ信号を出力するための一つのスピーカーをさらに含む。
【０１０９】
Ｉ／Ｏインターフェイス５１２は、プロセスアセンブリ５０２と周辺インターフェイスモジュールの間にインターフェイスを提供するものであり、上記周辺インターフェイスモジュールは、キーボード、クリックホイール、ボタン等であってもよい。これらのボタンは、ホームボタン、ボリュームボタン、起動ボタン、ロッキングボタンを含んでもよいが、これらに限定されない。
【０１１０】
センサアセンブリ５１４は、装置５００に各方面の状態に対する評価を提供するための一つ以上のセンサを含む。例えば、センサアセンブリ５１４は、装置５００のＯＮ／ＯＦＦ状態、装置５００のディスプレイとキーパッドのようなアセンブリの相対的な位置決めを検出できる。また、例えば、センサアセンブリ５１４は、装置５００、或は装置５００の一つのアセンブリの位置変更、ユーザと装置５００とが接触しているか否か、装置５００の方位、又は加速／減速、装置５００の温度の変化を検出できる。センサアセンブリ５１４は、何れの物理的接触がない状態にて付近の物体の存在を検出するための近接センサを含んでもよい。センサアセンブリ５１４は、撮影アプリケーションに適用するため、ＣＭＯＳ、又はＣＣＤ図像センサのような光センサを含んでもよい。上記の実施例において、当該センサアセンブリ５１４は、加速度センサ、ジャイロスコープセンサ、磁気センサ、圧力センサ、及び温度センサをさらに含んでもよい。
【０１１１】
通信アセンブリ５１６は、装置５００と他の機器の間に有線、又は無線形態の通信を提供する。装置５００は、例えばＷｉＦｉ、２Ｇ、３Ｇ、或はこれらの組み合わせのような、通信規格に基づいた無線ネットワークに接続されてもよい。一つの例示的な実施例において、通信アセンブリ５１６は、放送チャンネルを介して外部の放送管理システムからの放送信号、又は放送に関連する情報を受信する。一つの例示的な実施例において、前記通信アセンブリ５１６は、近距離無線通信（ＮＦＣ）モジュールをさらに含むことにより、近距離通信を推進するようにする。例えば、ＮＦＣモジュールは、ＲＦＩＤ（ＲａｄｉｏＦｒｅｑｕｅｎｃｙ ＩＤｅｎｔｉｆｉｃａｔｉｏｎ）技術、ＩｒＤＡ（ＩｎｆｒａｒｅｄＤａｔａ Ａｓｓｏｃｉａｔｉｏｎ）技術、ＵＷＢ（ＵｌｔｒａＷｉｄｅ Ｂａｎｄ）技術、ＢＴ（Ｂｌｕｅｔｏｏｔｈ）技術、他の技術に基づいて実現できる。
【０１１２】
例示的な実施例において、装置５００は、一つ以上のＡＳＩＣ（Ａｐｐｌｉｃａｔｉｏｎ  ＳｐｅｃｉｆｉｃＩｎｔｅｇｒａｔｅｄ Ｃｉｒｃｕｉｔ）、ＤＳＰ（ＤｉｇｉｔａｌＳｉｇｎａｌ Ｐｒｏｃｅｓｓｏｒ）、ＤＳＰＤ（ＤｉｇｉｔａｌＳｉｇｎａｌ Ｐｒｏｃｅｓｓｉｎｇ Ｄｅｖｉｃｅ）、ＰＬＤ（Ｐｒｏｇｒａｍｍａｂｌｅ Ｌｏｇｉｃ Ｄｅｖｉｃｅ）、ＦＰＧＡ（Ｆｉｅｌｄ−Ｐｒｏｇｒａｍｍａｂｌｅ Ｇａｔｅ Ａｒｒａｙ）、コントローラ、マイクロコントローラ、マイクロプロセッサ、または他の電子部品によって実現されることにより、上記の図１、若しくは、図２Ａに示したイメージ切替方法を実行することができる。
【０１１３】
例示的な実施例において、さらに、命令を含むコンピュータ読取り可能な非一時的な記録媒体、例えば命令を含むメモリ５０４を提供しており、装置５００のプロセッサ５２０により上記命令を実行して上記方法を実現する。例えば、前記コンピュータ読取り可能な非一時的な記録媒体は、ＲＯＭ、ＲＡＭ、ＣＤ-ＲＯＭ、磁気テープ、フロッピーディスク、光データ記憶デバイス等である。
【０１１４】
コンピュータ読取り可能な非一時的な記録媒体は、当該記録媒体中の命令が装置５００のプロセッサによって実行される際に、装置５００に上記の図１、又は図２Ａに示したイメージ切替方法を実行させることができる。
【０１１５】
当業者は、明細書を検討して本発明を実践した後、本発明の他の実施案を容易に考え出すことができる。本願は、本発明のいずれの変形、用途、又は適応的な変更をカバーすることを狙っているし、これらの変形、用途、又は適応的な変更は、本発明の一般的な原理に従い、また、本発明は公開していない当業界の公知の知識又は通常の技術手段を含む。明細書と実施例はただ例示として考慮され、本発明の本当の範囲と精神は以下の特許請求の範囲に記載される。
【０１１６】
本発明は上記に記述され、また図面で示した正確な構成に限定されず、その範囲を逸脱しない限り多様な置換えと変更を行うことができると、理解するべきである。本発明の範囲は添付の特許請求の範囲のみにより限定される。
【手続補正２】
【補正対象書類名】特許請求の範囲
【補正対象項目名】全文
【補正方法】変更
【補正の内容】
【特許請求の範囲】
【請求項１】
第１解像度バージョンのｉ（ｉ≧１）枚目のイメージを、現在に表示されている、解像度が前記第１解像度バージョンの解像度より高い第２解像度バージョンの前記ｉ枚目のイメージの上に重ね合わせるステップと、
前記第２解像度バージョンのｉ枚目のイメージを、第２解像度バージョンのｉ＋１枚目のイメージに置き換えるステップと、
所定のアニメーション効果によって、前記第１解像度バージョンのｉ枚目のイメージを非表示にし、前記第２解像度バージョンのｉ＋１枚目のイメージを表示するステップとを
含むことを特徴とするイメージ切替方法。
【請求項２】
前記第１解像度バージョンのｉ枚目のイメージを、現在に表示されている、前記第２解像度バージョンのｉ枚目のイメージの上に重ね合わせるステップは、
透明度が０である前記第１解像度バージョンのｉ枚目のイメージを、現在に表示されている、前記第２解像度バージョンのｉ枚目のイメージの上に重ね合わせるステップと、
前記第１解像度バージョンのｉ枚目のイメージの透明度を、０から１に、次第に、調整するステップを含む
ことを特徴とする請求項１に記載のイメージ切替方法。
【請求項３】
前記所定のアニメーション効果によって、前記第１解像度バージョンのｉ枚目のイメージを非表示にし、前記第２解像度バージョンのｉ＋１枚目のイメージを表示するステップは、
前記第１解像度バージョンのｉ枚目のイメージの透明度を、１から０に、次第に、調整するステップと、
前記第２解像度バージョンのｉ＋１枚目のイメージを表示するステップと
を含むことを特徴とする請求項２に記載のイメージ切替方法。
【請求項４】
透明度が１である、第１解像度バージョンの背景イメージを、第２解像度バージョンの１枚目のイメージの上に重ね合わせて表示するステップと、
前記背景イメージの透明度を、１から０に、次第に、調整するステップと、
前記第２解像度バージョンの１枚目のイメージを表示するステップと
を、さらに、含むことを特徴とする請求項１乃至３のいずれか１項に記載のイメージ切替方法。
【請求項５】
前記ｉ＋１枚目のイメージが最後の１枚のイメージである場合、透明度が０である前記第１解像度バージョンのｉ＋１枚目のイメージを、現在に表示されている、前記第２解像度バージョンのｉ＋１枚目のイメージの上に重ね合わせるステップと、
前記第１解像度バージョンのｉ＋１枚目のイメージの透明度を、０から１に、次第に、調整するステップと
を、さらに、含むことを特徴とする請求項１乃至３のいずれか１項に記載のイメージ切替方法。
【請求項６】
第１解像度バージョンのｉ（ｉ≧１）枚目のイメージを、現在に表示されている、解像度が前記第１解像度バージョンの解像度より高い第２解像度バージョンの前記ｉ枚目のイメージの上に重ね合わせるためのイメージ重合モジュールと、
前記第２解像度バージョンのｉ枚目のイメージを、第２解像度バージョンのｉ＋１枚目のイメージに置き換えるためのイメージ置換モジュールと、
所定のアニメーション効果によって、前記第１解像度バージョンのｉ枚目のイメージを非表示にし、前記第２解像度バージョンのｉ＋１枚目のイメージを表示するためのイメージ表示モジュールと
を備えることを特徴とするイメージ切替装置。
【請求項７】
前記イメージ重合モジュールは、
透明度が０である前記第１解像度バージョンのｉ枚目のイメージを、現在に表示されている、前記第２解像度バージョンのｉ枚目のイメージの上に重ね合わせるためのイメージ重合ユニットと、
前記第１解像度バージョンのｉ枚目のイメージの透明度を、０から１に、次第に、調整するための第１調整ユニットと
を備えることを特徴とする請求項６に記載のイメージ切替装置。
【請求項８】
前記イメージ表示モジュールは、
前記第１解像度バージョンのｉ枚目のイメージの透明度を、１から０に、次第に、調整するための第２調整ユニットと、
前記第２解像度バージョンのｉ＋１枚目のイメージを表示するためのイメージ表示ユニットと
を備えることを特徴とする請求項７に記載のイメージ切替装置。
【請求項９】
透明度が１である、第１解像度バージョンの背景イメージを、第２解像度バージョンの１枚目のイメージの上に重ね合わせて表示するための背景表示モジュールと、
前記背景イメージの透明度を、１から０に、次第に、調整するための第１調整モジュールと、
前記第２解像度バージョンの１枚目のイメージを表示するための第１表示モジュールと
を、さらに、備えることを特徴とする請求項６乃至８のいずれか１項に記載のイメージ切替装置。
【請求項１０】
前記ｉ＋１枚目のイメージが最後の１枚のイメージである場合、透明度が０である前記第１解像度バージョンのｉ＋１枚目のイメージを、現在に表示されている、前記第２解像度バージョンのｉ＋１枚目のイメージの上に重ね合わせるためのバージョン重合モジュールと、
前記第１解像度バージョンのｉ＋１枚目のイメージの透明度を、０から１に、次第に、調整するための第２調整モジュールと
を、さらに、備えることを特徴とする請求項６乃至８のいずれか１項に記載のイメージ切替装置。
【請求項１１】
プロセッサと、
プロセッサが実行可能な命令を記憶するためのメモリとを備え、
前記プロセッサは、
第１解像度バージョンのｉ（ｉ≧１）枚目のイメージを、現在に表示されている、解像度が前記第１解像度バージョンの解像度より高い第２解像度バージョンの前記ｉ枚目のイメージの上に重合し、
前記第２解像度バージョンのｉ枚目のイメージを、第２解像度バージョンのｉ＋１枚目のイメージに置換し、
所定のアニメーション効果によって、前記第１解像度バージョンのｉ枚目のイメージを非表示にし、前記第２解像度バージョンのｉ＋１枚目のイメージを表示するように構成される
ことを特徴とするイメージ切替装置。
【請求項１２】
プロセッサに実行されることにより、請求項１から請求項５のいずれかに記載のイメージ切替方法を実現することを特徴とするプログラム。
【請求項１３】
請求項１２に記載のプログラムが記録された記録媒体。
【国際調査報告】
2016530554.tif 000009
2016530554.tif 000010
2016530554.tif 000011
2016530554.tif 000012